(57)【要約】【課題】  動作条件等の設定情報を表示する表示部において、色覚異常者が誤認識することなく確認することができる設定画面を表示することができる撮像装置および設定画面の表示方法に関する。【解決手段】  複数の表示領域を備える設定画面を表示する表示部、設定画面に表示された情報項目を選択してこの情報項目の設定値を変更する操作部を有する撮像装置であって、利用者の色覚認識傾向判定に用いる情報を備える色覚テスト情報を記憶するとともに設定画面の表示領域毎に予め規定され当該表示領域の表示色を示す設定色情報と色覚異常者が認識しやすい表示色を示すバリアフリー色情報とを関連付ける色覚置換情報を記憶する記憶部と、表示部に表示した色覚テスト情報に対し当該撮像装置の利用者が操作部を用いて行なう回答操作によって色覚置換情報を生成する色覚判断部と、を有する撮像装置による。【選択図】図５
2009218980.tif 000002
【特許請求の範囲】
【請求項１】
複数の表示領域を備える設定画面を表示する表示部、前記設定画面に表示された情報項目を選択してこの情報項目の設定値を変更する操作部を有する撮像装置であって、
利用者の色覚認識傾向判定に用いる情報を備える色覚テスト情報を記憶するとともに上記設定画面の表示領域毎に予め規定され当該表示領域の表示色を示す設定色情報と色覚異常者が認識しやすい表示色を示すバリアフリー色情報とを関連付ける色覚置換情報を記憶する記憶部と、
上記表示部に表示した色覚テスト情報に対し当該撮像装置の利用者が上記操作部を用いて行なう回答操作によって上記色覚置換情報を生成する色覚判断部と、を有する撮像装置。
【請求項２】
上記色覚判断部は、複数の上記色覚テスト情報を上記表示部に順次表示し、表示された各色覚テスト情報に対して、当該撮像装置の利用者が操作部を用いて行なう回答操作を判定し、この判定結果に基づいて当該利用者が誤認識傾向を示す色を特定し、上記設定色情報に含まれる表示色に上記誤認識傾向を示す色が含まれる場合は、この誤認識傾向に基づいて当該利用者が認識しやすい色に対応するバリアフリー色情報を特定して色覚置換情報を生成することを特徴とする請求項１記載の撮像装置。
【請求項３】
上記色覚判断部が、上記判定結果に基づいて誤認識傾向を示す色が全ての上記表示色である場合、上記バリアフリー色情報の代わりに、白黒ドット表示のグレースケール濃度を用いた表示パターンを対応付けた色覚置換情報を生成することを特徴とする請求項１記載の撮像装置。
【請求項４】
上記色覚判断部が、上記判定結果に基づいて誤認識傾向を示す色が全ての上記表示色である場合、上記バリアフリー色情報の代わりに、白黒斜線表示のグレースケール濃度を用いた表示パターンを対応付けた色覚置換情報を生成することを特徴とする請求項１記載の撮像装置。
【請求項５】
上記色覚判断部が、上記判定結果に基づいて誤認識傾向を示す色が全ての上記表示色である場合、上記バリアフリー色情報の代わりに、白黒波線表示のグレースケール濃度を用いた表示パターンを対応付けた色覚置換情報を生成することを特徴とする請求項１記載の撮像装置。
【請求項６】
上記色覚判断部は、２つの表示領域に分割された上記表示部のそれぞれの表示領域に異なる色で表示され上記色覚テスト情報が、同一であるか否かを上記操作部の特定の回答操作によって特定し、この回答操作によって上記色覚置換情報を生成することを特徴とする請求項１記載の撮像装置。
【請求項７】
上記色覚判断部は、上記表示部を左右２つの領域に分割することを特徴とする請求項６記載の撮像装置。
【請求項８】
上記色覚判断部は、上記表示部を上下２つの領域に分割することを特徴とする請求項６記載の撮像装置。
【請求項９】
複数の表示領域を備える設定画面を表示する表示部、前記設定画面に表示された情報項目を選択してこの情報項目の設定値を変更する操作部、利用者の色覚認識傾向判定に用いる情報を備える色覚テスト情報を記憶するとともに上記設定画面の表示領域毎に予め規定され当該表示領域の表示色を示す設定色情報と色覚異常者が認識しやすい表示色を示すバリアフリー色情報とを関連付ける色覚置換情報を記憶する記憶部、上記表示部に表示した色覚テスト情報に対し当該撮像装置の利用者が上記操作部を用いて行なう回答操作によって上記色覚置換情報を生成する色覚判断部、を有する撮像装置による色覚異常者に適した設定画面の表示方法であって、
上記色覚判断部が、上記色覚テスト情報を上記表示部に表示するステップと、
上記色覚判断部が、上記表示された上記色覚テスト情報に対する上記操作部を用いた回答操作を判定するステップと、
上記色覚判断部が、上記回答操作に基づいて上記色覚置換情報を生成するステップと、
上記色覚判断部が、上記色覚置換情報を上記記憶部に記憶するステップと、
上記設定画面を表示するときに、上記記憶部の所定の記憶領域に色覚置換情報が記憶されているか否かを判定するステップと、
上記色覚置換情報を用いて上記設定画面の各表示領域の色を置換するステップと、
上記置換した設定画面を上記表示部に表示するステップと、を有する設定画面の表示方法。
【発明の詳細な説明】
【技術分野】
【０００１】
本発明は、撮像装置および設定画面の表示方法に関するものであって、特に、動作条件等の設定情報を表示する表示部において、色覚異常者が誤認識することなく確認することができる設定画面を表示することができることを特徴とするものである。
【背景技術】
【０００２】
一般的なデジタルスチルカメラ等の撮像装置は、動作に用いる様々な情報のうち利用者が任意に設定できる情報（撮影サイズ、画質、撮影モードなど）を、設定画面を介して変更することができる。この設定画面は当該撮像装置が備える表示部に所定のレイアウトを用いて表示される。
【０００３】
上記の設定画面は、視認性を向上させ設定操作を容易に行なうことができるように、複数の色を配置しデザイン化されたレイアウトを備えている。このデザインは正常な色の認識をすることができる利用者（色覚健常者）が、見やすい配色となるように工夫されている。従って、これらの配色は、必ずしも色の認識に障害を持つ利用者（色覚異常者）にとって見やすい配色（表示）とはならず、色覚異常者が当該デジタルカメラを利用するときに、設定画面に表示されている様々な情報を認識しづらく、それ故、誤認識や誤設定の原因となることがあった。これを解決するために、色覚異常者にとって誤認識傾向にある色に関する情報をあらかじめ登録しておき、表示部に表示する画像データに上記の誤認識傾向にある色が含まれているかを判断し、このような色が含まれていると判断された場合、その該当する色を所定の色に変換して表示する発明が知られている（例えば、特許文献１を参照）。また、利用者がスイッチにより任意に健常者／非健常者を切換えることで、予め規定した色覚異常者用の画面に切り換えることができる発明が知られている（例えば、特許文献２を参照）。
【特許文献１】特開２００６−２４６０７２号公報
【特許文献２】特開２００３−３３５０３３号公報
【０００４】
色覚異常の傾向は複数のタイプが知られており、例えば、特定の色のみの認識が困難な場合、複数色を同時に見たときに色相互の違いを認識しづらい場合、すべての色の認識が困難な場合（全色盲）などがある。このように多様な色覚異常のタイプが存在するので、特許文献１に記載されているように、色覚異常者が誤認識傾向にある色を一律に他の色に変換しても、特定の色覚異常者にとっては、さらに認識しづらい画面表示になる。また、利用者本人が自らの色覚異常傾向を自覚していない場合もある。また、自覚している場合であっても他人にそれを知られることを避ける場合がある。このような利用者にとっては、特許文献２に記載されているような健常者／非健常者をスイッチによって明示的に切り換えることには抵抗があり、機能を有効活用することができない。
【０００５】
デジタルカメラなどの撮像装置の普及率は高いが、統計的に男性は２０人に一人、女性は５００人に一人いるとされている色覚異常者に対して、個々の傾向に合わせて任意に、かつ、容易に最適な画面表示設定をすることができる撮像装置は無かった。
【発明の開示】
【発明が解決しようとする課題】
【０００６】
本発明は上記問題点を鑑みてなされたものであり、設定画面の表示において、色覚異常者が誤認識、誤設定をすることなく、色覚健常者と同じように使用することができる撮像装置を提供することを目的とする。
【課題を解決するための手段】
【０００７】
本発明は、複数の表示領域を備える設定画面を表示する表示部、前記設定画面に表示された情報項目を選択してこの情報項目の設定値を変更する操作部を有する撮像装置であって、利用者の色覚認識傾向判定に用いる情報を備える色覚テスト情報を記憶するとともに上記設定画面の表示領域毎に予め規定され当該表示領域の表示色を示す設定色情報と色覚異常者が認識しやすい表示色を示すバリアフリー色情報とを関連付ける色覚置換情報を記憶する記憶部と、上記表示部に表示した色覚テスト情報に対し当該撮像装置の利用者が上記操作部を用いて行なう回答操作によって上記色覚置換情報を生成する色覚判断部と、を有することを最も主要な特徴とする。
【０００８】
また本発明は、複数の表示領域を備える設定画面を表示する表示部、前記設定画面に表示された情報項目を選択してこの情報項目の設定値を変更する操作部、利用者の色覚認識傾向判定に用いる情報を備える色覚テスト情報を記憶するとともに上記設定画面の表示領域毎に予め規定され当該表示領域の表示色を示す設定色情報と色覚異常者が認識しやすい表示色を示すバリアフリー色情報とを関連付ける色覚置換情報を記憶する記憶部、上記表示部に表示した色覚テスト情報に対し当該撮像装置の利用者が上記操作部を用いて行なう回答操作によって上記色覚置換情報を生成する色覚判断部と、を有する撮像装置による色覚異常者に適した設定画面の表示方法であって、上記色覚判断部が、上記色覚テスト情報を上記表示部に表示するステップと、上記色覚判断部が、上記表示された上記色覚テスト情報に対する上記操作部を用いた回答操作を判定するステップと、上記色覚判断部が、上記回答操作に基づいて上記色覚置換情報を生成するステップと、上記色覚判断部が、上記色覚置換情報を上記記憶部に記憶するステップと、上記設定画面を表示するときに、上記記憶部の所定の記憶領域に色覚置換情報が記憶されているか否かを判定するステップと、上記色覚置換情報を用いて上記設定画面の各表示領域の色を置換するステップと、上記置換した設定画面を上記表示部に表示するステップと、を有することを特徴とする。
【発明の効果】
【０００９】
本発明によれば、利用者が自ら行なう色覚傾向の判断テスト（色覚テスト）の回答によって、設定画面の各領域の規定の表示色を最適な表示色に置換し、この表示色を置換した設定画面を表示することができるので、色覚異常者であっても誤認識することなく操作しやすい撮像装置を得ることが出来る。
また、全色覚異常者に対しては、最適な表示色の代わりに、白黒のドットや斜線、または、波線を用いた濃度の異なる表示を用いて、この濃淡の表示によって各表示領域を区別することで、全色覚異常者においても、誤認識することなく操作しやすい撮像装置を得ることが出来る。また、色覚異常者に最適な表示色を用いて設定画面を表示する際、元の表示色名を文字で表示し、全色覚異常者であっても、誤認識することなく操作しやすい撮像装置を得ることが出来る。
【発明を実施するための最良の形態】
【００１０】
以下、本発明に係る撮像装置の実施形態について図を用いて説明する。図１は本発明に係る撮像装置の外観構成の例を示す図である。図１において撮像装置１の正面には、光学ファインダ５、ストロボ発光部であるフラッシュ６、撮影レンズ４が配置されている。撮像装置１の上面には、電源釦６，レリーズ釦８、動作モードを切換える撮影／再生切り換えダイヤル９が配置されている。撮像装置１の背面には、光学ファインダ５，当該撮像装置の設定情報や撮影した画像を表示する表示部であるＬＣＤ（液晶ディスプレイ）２，当該撮像装置１の設定変更や動作指示を行なうボタンと十字キーで構成される操作部３が配置されている。
【００１１】
次に、図２を用いて本発明に係る撮像装置の機能ブロックを説明する。図２において、撮像装置１は、表示部であるＬＣＤ２と、操作部３と、ズームレンズ、ＡＦレンズ、メカシャッタから構成される撮影レンズ４と、外部記憶メディアであるメモリカード５と、利用者が操作部３を介して行なった設定操作などを音声情報で出力する音声出力変換装置６と、撮像装置１の各種動作処理を行なう信号処理ＩＣ１０（以下、単に「ＩＣ１０」と称する）と、撮影レンズ４によって入力された被写体像を画像データに変換してＩＣ１０に入力する撮像センサ２０、ＩＣ１０が使用する各種設定情報のうち、利用者によって変更可能な情報や、被写体画像データの表示用データを記憶するＳＤＲＡＭ３０、撮像装置１の基本的な動作処理に係る情報と、その処理を実行するソフトウェアを記憶するＲＯＭ４０を有している。
【００１２】
ＩＣ１０は、撮像センサ２０からの画像データが入力されるセンサＩ／Ｆ１０１，画像データを分割して合焦点を評価するためのデータを生成する分割合焦評価ブロック１０２、メモリーコントローラ１０３、表示出力制御１０４、リサイズ処理ブロック１０５、外部記憶メディアのインターフェースであるメディアＩ／Ｆ１０６、後述する色覚テストの生成とその回答から色覚置換情報を生成する色覚判断ブロック１０７、画像データの圧縮を行なう圧縮ブロック１０８、画像データのＹＵＶ変換処理を行なうＹＵＶ変換ブロック１０９、合焦位置を特定するＡＦ評価値やホワイトバランスの評価を行なう評価値比較ブロック１１０、ＩＣ１０の処理を統括し制御するＣＰＵ１１１を備えている。
【実施例１】
【００１３】
次に、上述のように構成された撮像装置における設定画面表示処理の流れについて、フローチャートを用いて説明する。図３は、利用者が撮像装置１の電源釦６を押下し、当該撮像装置１の動作が開始されたときの処理の流れを示しており、各処理ステップをＳ３１、Ｓ３２、Ｓ３３・・・のように表記している。図３において、撮像装置１の電源が投入されると、色覚判断ブロック１０７がＳＤＲＡＭ３０の所定の記憶領域に色覚置換情報が記録されているか否かを判定する（Ｓ３１）。色覚置換情報が記憶されていれば（Ｓ３１のＹｅｓ）、この色覚置換情報を読み出して、予めＳＤＲＡＭ３０内の別の記憶領域に記憶されている色覚健常者向けにデザインされた設定画面を読み出して、この設定画面の各表示領域の表示色を上記色覚置換情報に基づいて置換する処理を行ない（Ｓ３２）、表示色を上記処理によって置換した設定画面をＬＣＤ２に表示する（Ｓ３３）。ＳＤＲＡＭ３０内の所定の記憶領域に色覚置換情報が記録されていなければ（Ｓ３１のＮｏ）、ＳＤＲＡＭ３０の別の記憶領域に記憶されている色覚健常者向けにデザインされている設定画面の表示色を置換することなくＬＣＤ２に表示する（Ｓ３３）。
【００１４】
図４に、複数の表示領域を備えている設定画面の例を示す。図４において、設定画面２１は、どのような情報設定を行なうことができる画面であるかを利用者に認識しやすくする為に設定可能な情報区分を表示する画面上部の領域（２２）、当該画面で設定することができる設定項目名を表示する領域（２３）、設定項目ごとに既に設定されている値（設定値）を表示する領域（２４）、当該画面において選択できる操作種別を表示する領域（２５）を有してなる。
【００１５】
設定画面２１が表示された状態で、操作部３が備える十字キーを押下すると設定項目２３上のカーソルを移動することができ、特定の設定項目２１にカーソルを合わせた状態で、十字キーの右矢印を押すと当該設定項目を選択することができる（図４（ｂ））。設定項目を選択すると、この設定項目において選択可能な設定値が表示される（図４（ｃ））。図４（ｂ）は「連写」という設定項目にカーソルを移動させた状態であって、図４（ｃ）は、図４（ｂ）において十字キーの右矢印を押下し、「連射」項目に設定できる設定値を選択可能に表示させた状態を示している。図４（ｃ）の状態でカーソルを特定の設定値に合わせて、「確定」動作（例えば、操作部３の有する「ＯＫ」ボタンを押下する）を行なうと、この設定値が当該設定項目の値として設定される。
【００１６】
このように撮像装置１の動作条件を設定画面２１に表示される情報項目で視認しながら、利用者は操作部を介して所定の設定値に変更することができるので、設定画面２１の各表示領域は利用者にとって視認しやすく、かつ、各情報項目の区別がつきやすい表示にする必要がある。このような設定画面の配色レイアウトデザインは、色覚が正常な利用者を想定して予め設定されているので、色覚置換情報を用いて、設定画面２１の各表示領域の表示色を、色覚異常者にとって認識しやすい表示色とその組み合わせに置換することで、幅広い利用者が利用することができる撮像装置を得ることが出来る。
【実施例２】
【００１７】
次に、上記色覚置換情報の生成処理について、図５及び図６のフローチャートを用いて説明する。図５及び図６において各処理ステップをＳ５１，Ｓ５２・・・のように表記している。先ず、撮像装置１の電源が投入されている状態で操作部３が備える「ＭＥＮＵ」ボタンを押下すると設定画面（図４（ａ））が表示される（Ｓ５１）。ここで、カーソルを情報区分領域（２２）に移動し、操作部３が備える十字キーの右矢印を押下すると「セットアップ」メニューが表示される。図７に「セットアップ」メニューが選択された設定画面の例を示す。ここで設定項目の一つである「バリアフリー選択」にカーソルを合わせて（図７（ａ））「ＯＫ」ボタンを押下すると、選択できる設定値が表示される（図７（ｂ））。ここで表示される設定値は「オート」もしくは「マニュアル」とする。
【００１８】
上記の処理において「マニュアル」を選択すると（Ｓ５３）、バリアフリー設定画面がＬＣＤ２に表示されてマニュアル設定処理が開始する（図６のＳ６１）。図８にバリアフリー設定画面の例を図８に示す。図８において、バリアフリー設定画面８１には、既に説明した設定画面（図４）と同様のレイアウトを有しており、当該設定画面の各表示領域に予め規定される領域ＩＤ８２と、この領域ＩＤ８２が示す表示領域の規定の表示色である設定色８３、上記領域ＩＤ８２が示す表示領域の表示色を置換する色（バリアフリー色）８４が表示されている。図８（ａ）においてバリアフリー色８４が空欄になっているのは、まだ置換色が設定されていないことを示す。
【００１９】
図８（ａ）のバリアフリー設定画面８１が表示された状態で操作部３の十字キーを操作してカーソルを移動させ（図８（ｂ））、表示色を置換したい表示領域に対応する領域ＩＤにおいて選択操作を行なうと、図８（ｃ）に示すように領域ＩＤ「５」、設定色「オレンジ」を置換可能な色の候補が表示され、この中から特定のバリアフリー色８４を選択する（Ｓ６２）。この処理を必要な設定色に対して繰返し行なう。ちなみに、図８（ｃ）は領域ＩＤ「５」において規定の設定色「オレンジ」を置換色「青」に設定した状態である。
【００２０】
上記のステップＳ６２によって生成される色覚置換情報の例を図９に示す。図９に示すように、色覚置換情報９０はバリアフリー設定画面に表示されていた領域ＩＤ８２に対応する領域ＩＤ９１と、この領域ＩＤ９１に予め設定されている設定色情報（９２）と、上記の処理によって変更されたバリアフリー色情報９３が関連付けられている。図９の例は、ステップＳ６２において設定される領域ＩＤ「５」は規定の設定色情報が「オレンジ」であるところ、利用者の操作によってバリアフリー色情報「青」に変更された例である。
【００２１】
上記色覚置換情報に基づいて、上記設定画面（図４）の各表示領域の表示色を置換して、置換後の設定画面（バリアフリー画面）をＬＣＤ２に表示する（Ｓ６３）。利用者は、ＬＣＤ２に表示されたバリアフリー画面を視認し、この画面表示でよければ、確定操作を行なう。確定操作が行なわれた時点でＬＣＤ２に表示されている設定画面（バリアフリー画面）に用いた色覚置換情報が確定され（Ｓ６４のＹｅｓ）、ＳＤＲＡＭ３０の所定の記憶領域にこの色覚置換情報が記憶される（Ｓ６５）。ＬＣＤ２に表示されたバリアフリー画面が、当該利用者にとって不具合であれば、キャンセル操作を行ない、再度、バリアフリー設定画面をＬＣＤ２に表示する（Ｓ６４のＮｏ）。このように、マニュアル設定処理は、設定画面の表示領域毎に個別に表示色の置換設定をすることができる。
【００２２】
図５に戻る。ステップＳ５３で「オート」を選択すると、ＬＣＤ２に色覚テスト情報が表示されオート設定処理が開始する（Ｓ５４）。表示された色覚テスト情報に対して操作部３の操作によって回答をする（Ｓ５５）。
【００２３】
図１０に色覚テスト情報の表示例を示す。色覚テストとは、利用者の色覚認識傾向を判定するために用いる情報であって、色覚異常者が誤認識をしやすい色の組み合わせによって構成されている。例えば、赤、青、緑の３原色を基本に「赤と緑」、「赤と黒」、「緑と黄」などの組み合わせをＬＣＤ２に区別して同時に表示することができる情報である。図１０に示すように、色覚テスト情報を表示するテスト画面１０１は、ＬＣＤ２の表示領域を左右に２分割した画面レイアウトであって、例えば左側の表示領域を「赤」で塗りつぶした表示をし、右側の表示領域を「緑」で塗りつぶした表示をする。
【００２４】
利用者は、テスト画面１０１の表示を視認した後に、左右の表示領域の色が同一色であるか否かを判断して、操作部３を用いて判断結果を入力する。これを色覚テスト情報に対応する回答操作とする。例えば、図１０の色覚テストにおいて、テスト画面１０１に表示されている左右の色は「同一」であると認定したとき、操作部３が備える十字キーの右矢印を押下して回答とし、また、「異なる」と認定したときは左矢印を押下して回答とする。また、左右の色が「同一」であると認定したときは操作部３が備える「ＯＫ」ボタンを押下し、「異なる」と認定したときは何も押下せず所定の時間が経過するまで待つ、などの操作によって色覚テストに対する回答を行なうことができる。
【００２５】
図５に戻る。色覚判断ブロック１０７は、上記の処理における色覚テスト情報に対応する回答操作が、色覚置換情報を生成するために十分な回数（例えば１０回）行なわれたか否かを判定する（Ｓ５６）。回答操作の回数が色覚置換情報を生成するために不十分であれば、次の色覚テスト情報を用いて、色の組み合わせを変更してテスト画面１０１（図１０）を表示する（Ｓ５６のＮｏ）。
【００２６】
上記の回答操作に基づいて色覚判断ブロック１０７が最適な設定画面表示となるように各領域ＩＤ９１に対してバリアフリー色情報９３を決定し、色覚置換情報９０を生成する。次に、この色覚置換情報９０に基づいて上記設定画面（図４）の各領域の色を置換したバリアフリー画面をＬＣＤ２に表示する（Ｓ５７）。利用者は、ＬＣＤ２に表示されたバリアフリー画面を視認して、この画面表示でよければ色覚置換情報９０を確定する操作を行なう（Ｓ５８のＹｅｓ）。確定操作が行なわれると、その時点の色覚置換情報９０がＳＤＲＡＭ３０に記憶される（Ｓ５９）。
【００２７】
ステップ５８において、利用者にとって、ＬＣＤ２に表示されたバリアフリー画面は不具合であるとき、キャンセル操作（例えば、操作部３が有する「ＭＥＮＵ」ボタンを押下する）を行なうと（Ｓ５８のＮｏ）、処理はステップ５７に戻って、色覚判断ブロック１０７は、各表示領域に最適の別のバリアフリー色情報９３を決定して、この色覚置換情報９０に基づいたバリアフリー画面が表示される。ここで、表示されるバリアフリー画面は、先に表示したバリアフリー画面とは異なる色の組み合わせを用いた画面である。当該撮像装置１のＳＤＲＡＭ３０の所定の記憶領域には、色覚異常者が認識困難とされる様々な色の組み合わせが記憶されており、色覚判断ブロック１０７は、これらの色の組み合わせから、上記の色覚テストの結果に基づいて最適と推測する色覚置換情報を生成している。ステップ５７では、このように生成された色覚置換情報に基づいてバリアフリー画面が表示されている。
【００２８】
上記の色覚テストによって生成される色覚置換情報９０は、「暖色系と寒色系」、「明るい色と暗い色」の対比色を使用するように色を置換したもの、パステル調の色は排除したもの、等である。この他にも、背景と文字間に明度をつけ色相差のみで文字を表示しないように最適な文字フォントを色と共に設定するなど多様な情報によっても生成可能である。また、色覚テストにおいて、回答を間違えた色の組み合わせ（例えば、赤と緑を同じ色と認識した場合など）がある場合には、これらの誤認識色は全く使わないか、または、どちらかの色を排除した色覚置換情報が生成される。
【実施例３】
【００２９】
利用者の中には色の認識が極端に困難である人、または、全ての色が認識できない人もいる。このような人々を「全色覚異常者」という。全色覚異常者は上記の色覚テストを行なっても、色覚判断ブロック１０７において視認しやすいバリアフリー色情報９３を確定することができない。そこで、色覚判断ブロック１０７が色覚テストの結果から「全色覚異常者」であると判定したときは、色覚テストに用いる全ての色を白黒の濃淡によって区別するグレースケールに置き換えて、再度、上記色覚テストを行なう。
【００３０】
グレースケールの例を図１１に示す。図１１（ａ）は黒を表示する場合であって、所定の表示領域内のドットをすべて塗りつぶしている状態である（１００％塗りつぶし）。図１１（ｂ）は緑を表示する場合であって、所定の領域内のドットの５０％を黒にし、それ以外は白で塗りつぶした例である。図１１（ｃ）は、赤を表示する場合であって、所定の領域内のドットの４０％を黒にして、それ以外は白で塗りつぶした例である。このように、特定の色を白黒の濃淡に置き換えることで、全色覚異常者においても識別可能な設定画面を表示することができる。すなわち、色覚テストの結果、色覚判断ブロック１０７は、バリアフリー色名９３に特定の色の名称を確定するのではなく、濃度情報（６０％、４０％）を決定して色覚置換情報を生成すればよい。
【００３１】
バリアフリー色情報９３に表示色名ではなく白黒ドットの濃度情報が格納されている色覚置換情報９０に基づいた設定画面を表示する場合、各表示領域に設定色名情報９２を文字として表示してもよい。このようにすることで、健常者と色覚異常者が互いに設定画面の確認をするときに、誤解することなく円滑な認識が可能となる。
【００３２】
また、バリアフリー色情報９３に白黒ドットの濃度情報ではなく、図１２に示すように斜線密度が格納されている色覚置換情報９０に基づいて設定画面を表示することもできる。また、図１３に示すように、所定の領域内に用いる波線の密度の違いで、当該領域毎に異なる濃淡で表わしてもよい。
【産業上の利用可能性】
【００３３】
本発明は、カメラ付携帯機器に搭載可能な撮像装置及びその設定画面の表示処理においても適用できる。
【図面の簡単な説明】
【００３４】
【図１】本発明に係る撮像装置の外観構成の例を示す図である。
【図２】上記撮像装置の例を示す機能ブロック図である。
【図３】上記撮像装置を用いて行う設定画面表示処理の流れを示すフローチャートである。
【図４】上記撮像装置の設定画面の表示例を示す図である。
【図５】上記撮像装置を用いて行なう色覚置換情報確定処理の流れを示すフローチャートである。
【図６】上記撮像装置を用いて行なう色覚置換情報確定処理の流れを示すフローチャートである。
【図７】上記撮像装置における設定画面の表示例を示す図である。
【図８】上記撮像装置における設定画面の表示例を示す図である。
【図９】上記撮像装置の色覚置換情報確定処理において生成される色覚置換情報の例を示す図である。
【図１０】上記撮像装置の色覚置換情報確定処理に用いる色覚テストの表示例を示す図である。
【図１１】上記撮像装置のバリアフリー色として用いるグレースケールの例を示す図である。
【図１２】上記撮像装置のバリアフリー色として用いるグレースケールの別の例を示す図である。
【図１３】上記撮像装置のバリアフリー色として用いるグレースケールの別の例を示す図である。
【符号の説明】
【００３５】
１  撮像装置
２  ＬＣＤ
３  操作部
１０  信号処理ＩＣ
２１  設定画面
３０  ＳＤＲＡＭ
１０１  テスト画面
【図１】
2009218980.tif 000003
【図２】
2009218980.tif 000004
【図３】
2009218980.tif 000005
【図４】
2009218980.tif 000006
【図５】
2009218980.tif 000007
【図６】
2009218980.tif 000008
【図７】
2009218980.tif 000009
【図８】
2009218980.tif 000010
【図９】
2009218980.tif 000011
【図１０】
2009218980.tif 000012
【図１１】
2009218980.tif 000013
【図１２】
2009218980.tif 000014
【図１３】
2009218980.tif 000015